(57)【要約】【課題】表示すべき情報が表示領域内に入りきらないときに、スクロールさせなくとも、その情報の内容を把握可能なように表示する情報表示方法を提供することである。【解決手段】情報を記憶部に記憶する記憶工程と、前記記憶部に記憶されている情報を所定エリアに表示する表示工程と、前記所定エリアに前記表示する情報が入りきれないことを判断する判断工程とを有し、前記表示工程が、前記判断工程にて入りきれないと判断した場合に前記表示する情報のうち、先頭から所定文字数の情報と後ろから所定文字数の情報とを合成して表示する。【選択図】図６
2007148674.tif 000002
【特許請求の範囲】
【請求項１】
情報を記憶部に記憶する記憶工程と、
前記記憶部に記憶されている情報を所定エリアに表示する表示工程と、
前記所定エリアに前記表示する情報が入りきれないことを判断する判断工程と
を有し、
前記表示工程が、前記判断工程にて前記表示する情報が入りきれないと判断した場合に前記表示する情報のうち、先頭から所定文字数の情報と後ろから所定文字数の情報とを合成して表示する
ことを特徴とする情報表示方法。
【請求項２】
前記先頭から所定文字数の情報と前記後ろから所定文字数の情報とを合成する際に中間に所定キャラクタを挿入することを特徴とする請求項１に記載の情報表示方法。
【請求項３】
前記所定キャラクタの前後の表示文字数を、前記情報を表示する前記所定エリア内で任意に調整する調整工程をさらに有することを特徴とする請求項２に記載の情報表示方法。
【請求項４】
複数の情報を記憶部に記憶する第２の記憶工程と、
前記記憶部に記憶されている複数の情報のそれぞれを１つの画面の別の所定エリアに表示する第２の表示工程と、
前記複数の情報が、先頭から一致する箇所、不一致となる箇所を判断する第２の判断工程と
を有し、
前記第２の表示工程が、前記第２の判断工程の判断結果に基づいて表示する
ことを特徴とする情報表示方法。
【請求項５】
前記第２の判断工程で判断された一致箇所の先頭から所定文字数の情報と不一致箇所の先頭から所定文字数の情報とを合成して表示することを特徴とする請求項４に記載の情報表示方法。
【請求項６】
前記不一致箇所で前記所定エリアに入る範囲のすべての情報と残りのスペースで一致箇所の先頭からの情報を合成して表示することを特徴とする請求項４に記載の情報表示方法。
【請求項７】
前記一致箇所の所定文字数の情報と前記不一致箇所の所定文字数の情報とを合成する際に中間に所定キャラクタを挿入することを特徴とする請求項５または６に記載の情報表示方法。
【請求項８】
前記所定キャラクタの前後の表示文字数を、前記情報を表示する前記所定エリア内で任意に調整する調整工程をさらに有することを特徴とする請求項７に記載の情報表示方法。
【発明の詳細な説明】
【技術分野】
【０００１】
本発明は情報表示方法に関し、たとえば電子写真方式により用紙に画像形成する画像形成装置の表示操作部における情報表示方法に関する。
【背景技術】
【０００２】
従来から、一様に帯電させた感光体の感光層に光を当てることによって露光して潜像を形成し、この潜像が形成された感光層にトナーを付着させることによって現像し、これを用紙に転写して画像形成を行うディジタル複写機等の電子写真方式の画像形成装置がよく知られている。
【０００３】
最近では、このような画像形成装置の機能が多様化し、様々な設定が可能になってきている。このため、画像形成装置で取り扱い、ユーザに向けて表示する情報の文字数も多くなってきているが、一方で、装置の表示操作部の画面の大きさは限られており、限られた表示領域内に文字数の多い情報を表示する工夫が必要となってきている。
【０００４】
具体的には、現在、軽印刷の分野においても電子写真方式のプリンタ、複写機にて用紙に印刷することが行われており、この分野では顧客の要求で多種の用紙が用いられ、それら用紙ごとに異なる斤量、材質に対するプロセス条件や各補正等のパラメータを設定し、オペレータの用紙選択の指示により、それら条件で印刷を行っている。
【０００５】
この場合、これら多種用紙は、それらを区別するために用紙に名称を付けて、これら名称とともに前記のパラメータを登録している。名称は多種、多様の顧客の用紙を認識容易に区別するため、自然と長い名称となる傾向にある。
【０００６】
登録した情報は操作画面の複数の箇所で情報が表示されるが、現在の多機能の画像形成装置において基本画面などでは、１画面で表示する情報量も多くなってきており、そのために表示スペースが限られるケースが出てくる。このような場合、従来は一律先頭から表示スペースに入るのみ表示するようにしていた。このため用紙が何であるか判別する主要な部分が表示されない場合が多く、ユーザにとっても確認のためのさらなる操作を要求するもので、操作・視認性が良くなかった。
【０００７】
これに対して特許文献１に記載の発明では、限られた表示領域内に文字数の多い情報を表示しようとするとき、表示領域内に表示しきれる文字数に情報を区切り、区切った文字数の情報のみを表示し、ユーザがスクロール操作をすることによって、残りの情報をその表示領域内にスクロールして表示するようにしている。
【０００８】
【特許文献１】特開２００２−７０４６号公報
【発明の開示】
【発明が解決しようとする課題】
【０００９】
しかしながら特許文献１に記載の発明のように、表示しきれない情報をスクロールして表示する場合では、ユーザはスクロール操作をしなければならず、一目でその情報の内容を把握することはできないという問題があった。
【００１０】
また、特許文献１に記載の発明では、情報をスクロール表示するものであるため、そのスクロールをスムーズに表示するのが望ましいが、このような描画処理は負荷が重く、他の処理にも負担をかけてしまうという問題があった。
【００１１】
また、表示のスクロール処理は、単なる表示処理と比べてプログラムが複雑で開発工数がかなりかかってしまうという問題があった。
【００１２】
本発明は上記の点にかんがみてなされたもので、表示すべき情報が表示領域内に入りきらないときに、スクロール等の確認のための操作をさせなくとも、その情報の内容を把握可能なように表示する情報表示方法を提供することを目的とする。
【課題を解決するための手段】
【００１３】
本発明は上記の目的を達成するために、情報を記憶部に記憶する記憶工程と、前記記憶部に記憶されている情報を所定エリアに表示する表示工程と、前記所定エリアに前記表示する情報が入りきれないことを判断する判断工程とを有し、前記表示工程が、前記判断工程にて前記表示する情報が入りきれないと判断した場合に前記表示する情報のうち、先頭から所定文字数の情報と後ろから所定文字数の情報とを合成して表示することを特徴とする。
【００１４】
また本発明は請求項１に記載の発明において、前記先頭から所定文字数の情報と前記後ろから所定文字数の情報とを合成する際に中間に所定キャラクタを挿入することを特徴とする。
【００１５】
また本発明は請求項２に記載の発明において、前記所定キャラクタの前後の表示文字数を、前記情報を表示する前記所定エリア内で任意に調整する調整工程をさらに有することを特徴とする。
【００１６】
また本発明は、複数の情報を記憶部に記憶する第２の記憶工程と、前記記憶部に記憶されている複数の情報のそれぞれを１つの画面の別の所定エリアに表示する第２の表示工程と、前記複数の情報が、先頭から一致する箇所、不一致となる箇所を判断する第２の判断工程とを有し、前記第２の表示工程が、前記第２の判断工程の判断結果に基づいて表示することを特徴とする。
【００１７】
また本発明は請求項４に記載の発明において、前記第２の判断工程で判断された一致箇所の先頭から所定文字数の情報と不一致箇所の先頭から所定文字数の情報とを合成して表示することを特徴とする。
【００１８】
また本発明は請求項４に記載の発明において、前記不一致箇所で前記所定エリアに入る範囲のすべての情報と残りのスペースで一致箇所の先頭からの情報を合成して表示することを特徴とする。
【００１９】
また本発明は請求項５または６に記載の発明において、前記一致箇所の所定文字数の情報と前記不一致箇所の所定文字数の情報とを合成する際に中間に所定キャラクタを挿入することを特徴とする。
【００２０】
また本発明は請求項７に記載の発明において、前記所定キャラクタの前後の表示文字数を、前記情報を表示する前記所定エリア内で任意に調整する調整工程をさらに有することを特徴とする。
【発明の効果】
【００２１】
本発明によれば、表示すべき情報が表示領域内に入りきらないときに、スクロール等の確認のための操作をさせなくとも、その情報の内容を把握可能なように表示する情報表示方法を提供することができる。
【００２２】
すなわち本発明によれば、スクロールが必要ないので、重い処理を用いないで済むし、その処理を作成するための工数の削減にもなる。
【００２３】
また、ユーザは何ら操作することなく、情報の内容を一目で認識、確認することができ、また、他の情報と容易に識別することができる。
【発明を実施するための最良の形態】
【００２４】
以下、本発明の実施の形態を図面を参照して説明する。
【００２５】
なお、以下の実施の形態では、本発明による情報表示方法を画像形成装置に適用した場合の例について説明するが、本発明はこれに限られるものではなく、表示部を有するあらゆる装置に適用可能である。
【００２６】
図１は、本発明による情報表示方法を適用した画像形成装置の一実施の形態の構成を示す概略断面図である。
【００２７】
ここで、図１を参照して本実施の形態による画像形成装置１００の構成および基本動作について説明する。
【００２８】
なお、本実施の形態ではカラー画像の画像形成が可能な画像形成装置について説明するが、本発明はこれに限られたものではなく、モノクロの画像形成のみが可能な画像形成装置にも適用可能であることは言うまでもない。
【００２９】
画像形成装置本体１００は、カラー画像形成手段用に複数組の原稿書き込みユニット１５３Ｙ、１５３Ｍ、１５３Ｃを備え、モノクロ画像形成手段用に原稿書き込みユニット１５４Ｋを備えるものである。原稿書き込みユニット１５３Ｙはイエロー色、原稿書き込みユニット１５３Ｍはマゼンタ色、原稿書き込みユニット１５３Ｃはシアン色、原稿書き込みユニット１５４Ｋは黒色の画像形成が可能になっている。
【００３０】
上記原稿書き込みユニット１５３Ｙ、１５３Ｍ、１５３Ｃ、１５４Ｋにそれぞれ対応して、感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋを備えている。また、上記カラー画像形成手段、モノクロ画像形成手段に共通する中間転写ユニット９を備えており、中間転写ユニット９は、複数のローラに巻回され、回転可能に支持されて上記感光体６Ｙ、６Ｍ、６Ｃ、６Ｋと接触可能に配置されたエンドレスベルト形状の中間転写体９ａと該中間転写体９ａを上記感光体６Ｙ、６Ｍ、６Ｃ、６Ｋに接触させて画像を転写させる一次転写手段９Ｙ、９Ｍ、９Ｃ、９Ｋを有している。
【００３１】
次いで他の構成を説明すると、画像形成装置１００の上部側には、スキャナ部として機能する原稿読み取りユニット１が設けられており、ガラス面のプラテン上に原稿がセットされ、原稿読み取りユニット１で走査されて読み取られる。該原稿読み取りユニット１内には上記走査によって得られる反射光が入力されるＣＣＤ１３１が配置されている。なお、原稿読み取りユニット１にはＡＤＦ（自動原稿送り装置）１ａを接続し、原稿の両面を読取可能な構成にすることが望ましい。
【００３２】
また、画像形成装置１００の下部には、給紙トレイ２、３、４が配置されており、それぞれに給紙手段２ａ、３ａ、４ａが設けられている。また、画像形成装置１００の側方外壁部には手差しトレイ５が設けられており、該手差しトレイ５に対する給紙手段５ａが設けられている。このように複数の給紙トレイ、手差しトレイが設けられているのでサイズの異なる複数種類の用紙を用いることができる。
【００３３】
上記給紙手段２ａ〜５ａの給紙側先方にはレジストローラ１５が配置され、さらにその先方には前記中間転写体９ａに用紙を押圧可能な二次転写ローラ１６が配置されている。該二次転写ローラ１６の先方には、定着手段１７が設けられており、該定着手段１７の先方には排紙ローラ１８が設けられている。
【００３４】
画像形成装置１００では、画像形成指令にしたがって、カラーでの印刷の際には、上記原稿書き込みユニット１５３Ｙ、１５３Ｍ、１５３Ｃ、１５４Ｋによって必要に応じて形成された画像が、前記感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋ、一次転写手段９Ｙ、９Ｍ、９Ｃ、９Ｋによって中間転写体９ａに転写される。一方、モノクロ印刷の際には上記原稿書き込みユニット１５４Ｋによって形成された画像が、前記感光体６Ｋ、帯電手段７Ｋ、現像手段８Ｋ、一次転写手段９Ｋによって中間転写体９ａに転写される。
【００３５】
一方、画像形成に必要な用紙は、用紙サイズ等にしたがって給紙トレイ２、３、４または手差しトレイ５のいずれかから、給紙手段２ａ、３ａ、４ａまたは５ａによって給紙され、レジストローラ１５を経て二次転写ローラ１６に至る。該二次転写ローラ１６によって用紙は中間転写体９ａに押圧され、中間転写体９ａ上の画像が用紙に転写される。画像が転写された用紙は、定着手段１７で画像の定着がなされ、排紙ローラ１８を経て画像形成装置１００の外部に排出される。
【００３６】
図２は、図１に示した画像形成装置１００の構成を示すブロック図である。
【００３７】
図２に示すように、画像形成装置１００は、画像形成装置１００全体の動作を制御する制御手段１０３と、原稿読み取りユニット１を有し、原稿から画像を読み取る画像読取手段１０４と、原稿書き込みユニット１５３Ｙ、１５３Ｍ、１５３Ｃ、１５４Ｋを有し、たとえば紙などの画像形成用紙に画像を形成する画像形成手段１０５と、画像読取手段１０４によって読み取った画像データやそのほか、制御手段１０３で実行するソフトウェアプログラム、画像形成装置１００の動作に必要なパラメータ、後述の表示操作部にて表示する内容等を記憶する記憶手段１０６と、ユーザが画像形成装置１００に対する操作、指示等を入力する入力手段１０７と、ユーザに対して様々な情報を表示する表示手段１０８とを有して構成される。
【００３８】
なお、本実施の形態においては、入力手段１０７と表示手段１０８とは、タッチパネルのように一体化した操作画面である表示操作部２６（後に図４に示す）にて構成される。この表示操作部２６は、たとえば、タッチパネル式の操作パネルと固定ボタン式の操作部とを有して構成される。この表示操作部２６は図１においては示していないが、画像形成装置本体１００の上段の、ユーザが操作しやすい位置に設けるのがよい。さらに説明すると、この表示操作部２６は、ＣＲＴ、液晶、ＥＬ等の表示パネル部と、表示パネルのボタン位置に対応した座標位置の検出を行うタッチパネル、マウス等の入力装置部とを含むものであってもよい。
【００３９】
次に、本実施の形態の動作について図面を参照しながら詳細に説明する。
【００４０】
本実施の形態では、画像形成装置１００で画像形成する際に用いる用紙について、その用紙名称の情報を、その用紙の坪量等の特性とともにたとえば記憶手段１０６にあらかじめ登録しておき、画像形成の際には登録してある中から用紙を選択して画像形成を実行する場合において、ユーザが用紙を選択する場合に、その選択画面の用紙名表示欄に表示可能な文字数が、用紙名称の情報の文字数よりも少ない場合の処理について説明する。
【００４１】
図３は、図１に示した画像形成装置１００における表示操作部２６の表示処理の一例を示すフローチャートである。
【００４２】
図４は、図１に示した画像形成装置１００の表示操作部２６に表示される、用紙名称の登録画面の一例を示す図である。
【００４３】
図５は、図１に示した画像形成装置１００の表示操作部２６に表示される、画像形成の際に用いる用紙を選択する従来の画面の一例を示す図である。
【００４４】
図６は、図１に示した画像形成装置１００の表示操作部２６に表示される、画像形成の際に用いる用紙を選択する本発明の画面の一例を示す図である。
【００４５】
なお、表示操作部２６に表示する操作画面は、制御手段１０３が、記憶手段１０６にあらかじめ格納してある画面レイアウトに基づき作成し、表示操作部２６すなわち表示手段１０８にて表示するよう制御する。
【００４６】
本実施の形態の画像形成装置１００では、ユーザに提供する各種機能の設定を表示操作部２６にてユーザが行えるようにし、また、その設定状態、設定内容を表示操作部２６にて一目で確認できるようにしている。
【００４７】
図４に示す画面は、画像形成装置１００で画像形成する際に用いる用紙について、その用紙名称の情報を、その用紙の坪量等の特性とともにたとえば記憶手段１０６にあらかじめ登録した情報を一覧表示する画面である。
【００４８】
図４に示す例では、名称一覧３０に示すように、用紙名称が「コニカミノルタ12345678」という用紙や「コニカミノルタabcdefgh」という用紙が登録されている。これらの名称は全角７文字と半角８文字で構成されている。従来の装置では、上記の場合、図５に示す使用する用紙を設定する画面において、たとえば表示エリアが全角６文字分（半角１２文字分）しか確保できない場合、設定用紙表示欄３１に示すように、「コニカミノル」という具合に先頭の全角６文字分だけを表示しており、ユーザはその用紙について特定することができない場合があった。
【００４９】
そこで、本実施の形態では図３に示す処理（本発明による情報表示方法の一例）を実行して図６に示す表示を行う。
【００５０】
制御手段１０３は、図３のステップ（Ａ−１）において、記憶手段１０６に登録してある用紙名称（テキストデータ）を読み込む。この例では、用紙名称「コニカミノルタ12345678」を得る。次に、記憶手段１０６にあらかじめ格納してある画面レイアウトの該当表示エリアの表示制限文字数を得る（Ａ−２）。この例では、全角６文字分（半角１２文字分）である。
【００５１】
ステップ（Ａ−３）では、ステップ（Ａ−１）で得たテキストの文字数と、ステップ（Ａ−２）で得た表示制限文字数とを比較し、表示しきれるか否かを判断する。表示しきれる場合には、ステップ（Ａ−４）へと進み、用紙名称のすべてをそのまま表示して処理を終了する。
【００５２】
一方、ステップ（Ａ−３）にて表示しきれないと判断した場合には、ステップ（Ａ−５）へと進み、まず、用紙名称（テキストデータ）の先頭から所定文字数分（この例では全角３文字分）を、表示のためのバッファへ格納（Ａ−５）し、次に、テキストを省略して表示することを示す所定キャラクタ（この例では半角文字の「〜」を採用）を表示のためのバッファへ続けて格納し（Ａ−６）、最後に、用紙名称（テキストデータ）の最後から所定文字数分（この例では半角５文字分）を、表示のためのバッファへ格納（Ａ−７）する。
【００５３】
ステップ（Ａ−８）では、図６に示すように、表示のためのバッファに格納された文字列を設定用紙表示欄３１に表示する。すなわち、この例では、「コニカミノルタ12345678」のうち先頭の全角３文字分「コニカ」をバッファの先頭に格納し、次に半角文字の「〜」をバッファに続けて格納し、最後に「コニカミノルタ12345678」のうち最後の半角５文字分「45678」をバッファに続けて格納して、「コニカ〜45678」と表示している。
【００５４】
このように表示することによって、文字数制限内で、ユーザがその用紙を特定することを容易にすることができる。
【００５５】
次に、本発明による情報表示方法の別の例について説明する。
【００５６】
図７は、図１に示した画像形成装置１００における表示操作部２６の表示処理の別の例を示すフローチャートである。
【００５７】
図８は、図１に示した画像形成装置１００の表示操作部２６に表示される、画像形成の際に用いる用紙を選択する画面の一例を示す図である。
【００５８】
図４に示す例では、名称一覧３０に示すように、用紙名称が「コニカミノルタ12345678」という用紙や「コニカミノルタabcdefgh」という用紙が登録されている。これらの名称は全角７文字と半角８文字で構成されている。図７や図８に示す例は、表示文字数が制限されている場合に、「コニカミノルタ12345678」と「コニカミノルタabcdefgh」といった２種類を識別可能なように表示するものである。この例では図７に示す処理（本発明による情報表示方法の別の例）を実行して図８に示す表示を行う。
【００５９】
制御手段１０３は、図７のステップ（Ｂ−１）において、記憶手段１０６に登録してある用紙名称（テキストデータ）を読み込む。この例では、用紙名称「コニカミノルタ12345678」および用紙名称「コニカミノルタabcdefgh」の両テキストを得る。次に、記憶手段１０６にあらかじめ格納してある先頭から同一名称部分を比較するための比較キャラクタ数を得る（Ｂ−２）。この例では、全角３文字分（半角６文字分）である。つまり、先頭から全角３文字同一だと同一名称部分と判断する。これは表示スペース（全角６文字分）の半分を基準に設定してもよいし、ユーザが設定可能にしてもよい。
【００６０】
ステップ（Ｂ−３）では、ステップ（Ｂ−２）で得た比較キャラクタ数分だけ、ステップ（Ｂ−１）で得た両テキストの先頭からの文字の同一性を比較し、一致しなければ、ステップ（Ｂ−４）へと進み、用紙名称のすべてをそのまま表示して処理を終了する。
【００６１】
一方、ステップ（Ｂ−３）にて一致すると判断した場合には、ステップ（Ｂ−５）へと進む。
【００６２】
この例では、ステップ（Ｂ−２）で得た比較キャラクタ数は全角３文字分（半角６文字分）であり、この文字数分だけステップ（Ｂ−１）で得た両テキストの先頭から文字比較すると、両テキストともに「コニカ」であるので、ステップ（Ｂ−３）にて一致すると判断され、ステップ（Ｂ−５）へと進む。
【００６３】
ステップ（Ｂ−５）では、まず、両テキストのそれぞれについて別々の表示のためのバッファを用意し、両テキストそれぞれについて用紙名称（テキストデータ）の先頭から所定文字数分（この例では全角３文字分）を、それぞれの表示のためのバッファへ格納する。
【００６４】
次に、テキストを省略して表示することを示す所定キャラクタ（この例では半角文字の「〜」を採用）を、両テキストそれぞれの表示のためのバッファへ続けて格納する（Ｂ−６）。
【００６５】
次に、両テキストを比較し、一致箇所と不一致箇所とを求め（Ｂ−７）、不一致箇所の先頭から所定文字数分（この例では半角５文字分）を、両テキストごとに表示のためのバッファへ格納する（Ｂ−８）。
【００６６】
ステップ（Ｂ−９）では、図８に示すように、表示のためのバッファに格納された文字列を設定用紙表示欄３１のそれぞれに表示する。
【００６７】
すなわち、この例では、用紙名称「コニカミノルタ12345678」については、テキスト「コニカミノルタ12345678」のうち先頭の全角３文字分「コニカ」をバッファの先頭に格納し、次に半角文字の「〜」をバッファに続けて格納し、最後に、「コニカミノルタ12345678」のうち「コニカミノルタabcdefgh」と不一致となった箇所の先頭から半角５文字分「12345」をバッファに続けて格納して、図８では「コニカ〜12345」と表示し、一方、用紙名称「コニカミノルタabcdefgh」については、テキスト「コニカミノルタabcdefgh」のうち先頭の全角３文字分「コニカ」をバッファの先頭に格納し、次に半角文字の「〜」をバッファに続けて格納し、最後に、「コニカミノルタabcdefgh」のうち「コニカミノルタ12345678」と不一致となった箇所の先頭から半角５文字分「abcde」をバッファに続けて格納して、図８では「コニカ〜abcde」と表示している。
【００６８】
このように表示することによって、ユーザは、文字数制限内で、各用紙を識別することができる。
【００６９】
なお、この例では、用紙名称「コニカミノルタ12345678」および用紙名称「コニカミノルタabcdefgh」の２つのテキストを比較して識別可能なように表示するようにしたが、本発明はこれに限られるものではなく、３つ以上のテキストを比較してそれぞれが識別可能なように表示することも図７に示した処理で可能である。
【００７０】
次に、本発明による情報表示方法のさらに別の例について説明する。
【００７１】
図９は、図１に示した画像形成装置１００における表示操作部２６の表示処理のさらに別の例を示すフローチャートである。
【００７２】
図１０は、図１に示した画像形成装置１００の表示操作部２６に表示される、画像形成の際に用いる用紙を選択する画面の一例を示す図である。
【００７３】
図４に示す例では、名称一覧３０に示すように、用紙名称が「コニカミノルタ12345678」という用紙や「コニカミノルタabcdefgh」という用紙が登録されている。これらの名称は全角７文字と半角８文字で構成されている。図９や図１０に示す例は、表示文字数が制限されている場合に、「コニカミノルタ12345678」と「コニカミノルタabcdefgh」といった２種類を識別可能なように表示するものであり、図７や図８とは別の例を示すものである。この例では図９に示す処理（本発明による情報表示方法のさらに別の例）を実行して図１０に示す表示を行う。
【００７４】
この例は、両テキストを比較した結果の一致箇所と不一致箇所のそれぞれで、何文字表示するかをあらかじめ設定可能とするものである。この設定は、ユーザが表示操作部２６を操作して設定するものでもよいし、サービスマンが図示しないディップスイッチ等を操作して設定するものでもよい。この設定値はたとえば記憶手段１０６に記憶される。以下では、一致箇所を全角２文字表示し、不一致箇所を半角７文字表示するよう設定したものとして説明する。
【００７５】
制御手段１０３は、図９のステップ（Ｃ−１）において、記憶手段１０６に登録してある用紙名称（テキストデータ）を読み込む。この例では、用紙名称「コニカミノルタ12345678」および用紙名称「コニカミノルタabcdefgh」の両テキストを得る。次に、記憶手段１０６にあらかじめ格納してある先頭から同一名称部分を比較するための比較キャラクタ数を得る（Ｃ−２）。この例では、全角３文字分（半角６文字分）である。つまり、先頭から全角３文字同一だと同一名称部分と判断する。これは表示スペース（全角６文字分）の半分を基準に設定してもよいし、ユーザが設定可能にしてもよい。
【００７６】
ステップ（Ｃ−３）では、ステップ（Ｃ−２）で得た比較キャラクタ数分だけ、ステップ（Ｃ−１）で得た両テキストの先頭からの文字の同一性を比較し、一致しなければ、ステップ（Ｃ−４）へと進み、用紙名称のすべてをそのまま表示して処理を終了する。
【００７７】
一方、ステップ（Ｃ−３）にて一致すると判断した場合には、ステップ（Ｃ−５）へと進む。
【００７８】
この例では、ステップ（Ｃ−２）で得た比較キャラクタ数は全角３文字分（半角６文字分）であり、この文字数分だけステップ（Ｃ−１）で得た両テキストの先頭から文字比較すると、両テキストともに「コニカ」であるので、ステップ（Ｃ−３）にて一致すると判断され、ステップ（Ｃ−５）へと進む。
【００７９】
ステップ（Ｃ−５）では、まず、両テキストのそれぞれについて別々の表示のためのバッファを用意し、両テキストそれぞれについて用紙名称（テキストデータ）の先頭から設定文字数分（記憶手段１０６から読み出しておく。この例では全角２文字分）を、それぞれの表示のためのバッファへ格納する。
【００８０】
次に、テキストを省略して表示することを示す所定キャラクタ（この例では半角文字の「〜」を採用）を、両テキストそれぞれの表示のためのバッファへ続けて格納する（Ｃ−６）。
【００８１】
次に、両テキストを比較し、一致箇所と不一致箇所とを求め（Ｃ−７）、不一致箇所の先頭から設定文字数分（記憶手段１０６から読み出しておく。この例では半角７文字分）を、両テキストごとに表示のためのバッファへ格納する（Ｃ−８）。
【００８２】
ステップ（Ｃ−９）では、図１０に示すように、表示のためのバッファに格納された文字列を設定用紙表示欄３１のそれぞれに表示する。
【００８３】
すなわち、この例では、用紙名称「コニカミノルタ12345678」については、テキスト「コニカミノルタ12345678」のうち先頭の全角２文字分「コニ」をバッファの先頭に格納し、次に半角文字の「〜」をバッファに続けて格納し、最後に、「コニカミノルタ12345678」のうち「コニカミノルタabcdefgh」と不一致となった箇所の先頭から半角７文字分「1234567」をバッファに続けて格納して、図８では「コニ〜1234567」と表示し、一方、用紙名称「コニカミノルタabcdefgh」については、テキスト「コニカミノルタabcdefgh」のうち先頭の全角２文字分「コニ」をバッファの先頭に格納し、次に半角文字の「〜」をバッファに続けて格納し、最後に、「コニカミノルタabcdefgh」のうち「コニカミノルタ12345678」と不一致となった箇所の先頭から半角７文字分「abcdefg」をバッファに続けて格納して、図８では「コニ〜abcdefg」と表示している。
【００８４】
このように表示することによって、ユーザは、文字数制限内で、各用紙を識別することができるし、他の用紙の名称と一致する部分を多く表示したいか、不一致の部分を多く表示したいかを任意に設定することができる。
【００８５】
なお、他の用紙と識別するためには、名称どうしが不一致な部分をできるだけ多く表示することも考えられる。この例について、図１１、図１２を参照して説明する。
【００８６】
図１１では、用紙名称「コニカミノルタ123」および用紙名称「コニカミノルタabc」の２種類の用紙名称を、表示操作部２６の設定用紙表示欄３１に表示する場合について示している。この図１１では、不一致箇所の文字数が表示可能文字数より少ない場合、余った分を一致箇所の文字の表示に割り当てている。
【００８７】
設定用紙表示欄３１での半角文字の「〜」以外の表示可能文字数が半角１１文字であるとすると、この例では、不一致箇所は「123」および「abc」であり、この不一致箇所の先頭から表示可能文字数（半角１１文字）に達するまでの文字、すなわち「123」および「abc」のすべてを表示するものとし、これを表示しても半角８文字分（全角４文字分）表示エリアに余裕があるので、一致箇所の先頭から半角８文字（全角４文字分）を先に表示することとし、設定用紙表示欄３１には用紙名称として「コニカミ〜123」および「コニカミ〜abc」と表示される。
【００８８】
図１２では、用紙名称「コニカミノルタ1234567890123」および用紙名称「コニカミノルタabcdefghijklm」の２種類の用紙名称を、表示操作部２６の設定用紙表示欄３１に表示する場合について示している。
【００８９】
設定用紙表示欄３１では表示可能な文字数は半角１２文字であるため、テキストを省略して表示することを示す所定キャラクタ（半角文字の「〜」）以外の表示可能文字数は半角１１文字である。そこで、この例では、両テキストの不一致箇所を判断し、その不一致箇所の先頭から表示可能文字数に達するまでの文字をすべて表示する。したがって、両テキストが「コニカミノルタ1234567890123」および「コニカミノルタabcdefghijklm」の場合には、不一致箇所は「1234567890123」および「abcdefghijklm」であり、この不一致箇所の先頭から表示可能文字数（半角１１文字）に達するまでの文字、すなわち「12345678901」および「abcdefghijk」が表示されることになり、図１１に示すように、設定用紙表示欄３１には用紙名称として「〜12345678901」および「〜abcdefghijk」が表示される。
【図面の簡単な説明】
【００９０】
【図１】本発明による情報表示方法を適用した画像形成装置の一実施の形態の構成を示す概略断面図である。
【図２】図１に示した画像形成装置１００の構成を示すブロック図である。
【図３】図１に示した画像形成装置１００における表示操作部２６の表示処理の一例を示すフローチャートである。
【図４】図１に示した画像形成装置１００の表示操作部２６に表示される、用紙名称の登録画面の一例を示す図である。
【図５】図１に示した画像形成装置１００の表示操作部２６に表示される、画像形成の際に用いる用紙を選択する画面の一例を示す図である。
【図６】図１に示した画像形成装置１００の表示操作部２６に表示される、画像形成の際に用いる用紙を選択する画面の一例を示す図である。
【図７】図１に示した画像形成装置１００における表示操作部２６の表示処理の別の例を示すフローチャートである。
【図８】図１に示した画像形成装置１００の表示操作部２６に表示される、画像形成の際に用いる用紙を選択する画面の一例を示す図である。
【図９】図１に示した画像形成装置１００における表示操作部２６の表示処理のさらに別の例を示すフローチャートである。
【図１０】図１に示した画像形成装置１００の表示操作部２６に表示される、画像形成の際に用いる用紙を選択する画面の一例を示す図である。
【図１１】図１に示した画像形成装置１００の表示操作部２６に表示される、画像形成の際に用いる用紙を選択する画面の一例を示す図である。
【図１２】図１に示した画像形成装置１００の表示操作部２６に表示される、画像形成の際に用いる用紙を選択する画面の一例を示す図である。
【符号の説明】
【００９１】
１  原稿読み取りユニット
１ａ  ＡＤＦ
２、３、４  給紙トレイ
２ａ、３ａ、４ａ  給紙手段
５  手差しトレイ
５ａ  給紙手段
６Ｙ、６Ｍ、６Ｃ、６Ｋ  感光体
７Ｙ、７Ｍ、７Ｃ、７Ｋ  帯電手段
８Ｙ、８Ｍ、８Ｃ、８Ｋ  現像手段
９  中間転写ユニット
９ａ  中間転写体
９Ｙ、９Ｍ、９Ｃ、９Ｋ  一次転写手段
１５  レジストローラ
１６  二次転写ローラ
１７  定着手段
１８  排紙ローラ
２６  表示操作部
３０  名称一覧
３１  設定用紙表示欄
１３１  ＣＣＤ
１５３Ｙ、１５３Ｍ、１５３Ｃ  原稿書き込みユニット
１５４Ｋ  原稿書き込みユニット
１００  画像形成装置本体
１０３  制御手段
１０４  画像読取手段
１０５  画像形成手段
１０６  記憶手段
１０７  入力手段
１０８  表示手段
【図１】
2007148674.tif 000003
【図２】
2007148674.tif 000004
【図３】
2007148674.tif 000005
【図４】
2007148674.tif 000006
【図５】
2007148674.tif 000007
【図６】
2007148674.tif 000008
【図７】
2007148674.tif 000009
【図８】
2007148674.tif 000010
【図９】
2007148674.tif 000011
【図１０】
2007148674.tif 000012
【図１１】
2007148674.tif 000013
【図１２】
2007148674.tif 000014